(57)【要約】  【課題】  投射ランプが消灯された後のオートクーリング処理の異常終了に起因する種々の問題を予防することが可能なプロジェクタの提供を目的とする。  【解決手段】  投射ランプ７が点灯された回数と投射ランプ７が消灯された後に所定時間にわたって投射ランプ７が冷却ファン６により冷却された回数との差が所定値に達している場合、具体的には投射ランプ７が点灯された回数に比して投射ランプ７が消灯された際に正常に冷却が行なわれなかった回数が所定値を越えた場合に、投射デバイス８にＯＳＤ表示のための画像データを与え、ユーザに注意を喚起する画像を投射させてスクリーンＳに表示させる。【選択図】        図１
2006106639.tif 000002
【特許請求の範囲】
【請求項１】
ランプと、該ランプからの出射光を画像データに応じた画像を表わす変調光に変換する空間光変調手段と、前記ランプを冷却する冷却手段と、前記ランプが消灯された後に所定時間にわたって前記ランプを冷却するように前記冷却手段を制御する制御手段とを備えたプロジェクタにおいて、
前記ランプが点灯された回数を計数する第１の計数手段と、
前記ランプが消灯された後に前記所定時間にわたって前記ランプが冷却された正常終了の回数を計数する第２の計数手段と
を備え、
前記制御手段は、前記第１の計数手段の計数値と前記第２の計数値との差が所定値に達している場合に、前記空間光変調手段に所定の画像を表わす画像データを与えるようにしてあること
を特徴とするプロジェクタ。
【請求項２】
前記所定の画像は、前記ランプが消灯した後に前記ランプを冷却すべきであることを報知する内容であることを特徴とする請求項１に記載のプロジェクタ。
【請求項３】
前記制御手段は、前記第１の計数手段の計数値と前記第２の計数値との差が前記所定値に達した後に正常終了した場合に、前記第１の計数手段の計数値と前記第２の計数値とをゼロクリアし、次に前記第１の計数手段の計数値と前記第２の計数値との差が前記所定値に達するまでは、前記空間光変調手段に前記所定の画像を表わす画像データを与えないようにしてあることを特徴とする請求項１に記載のプロジェクタ。
【請求項４】
ランプと、該ランプからの出射光を画像データに応じた画像を表わす変調光に変換する空間光変調手段と、前記ランプを所定の冷却能力で冷却する冷却手段と、前記ランプが消灯された後に所定時間にわたって前記ランプを前記所定の冷却能力で冷却するように前記冷却手段を制御する制御手段とを備えたプロジェクタにおいて、
前記ランプが点灯された回数を計数する第１の計数手段と、
前記ランプが消灯された後に前記所定時間にわたって前記ランプが冷却された正常終了の回数を計数する第２の計数手段と
を備え、
前記制御手段は、前記第１の計数手段の計数値と前記第２の計数値との差が所定値に達している場合に、前記冷却手段の冷却能力が前記所定の冷却能力よりも高くなるように制御すること
を特徴とするプロジェクタ。
【請求項５】
前記第１の計数手段の計数値と前記第２の計数値との差が前記所定値に達している場合に、前記ランプが消灯される都度、前記冷却手段により前記ランプが冷却された時間を計時する計時手段を更に備え、
前記制御手段は、前記第１の計数手段の計数値と前記第２の計数値との差が前記所定値に達した後の前記計時手段による計時時間の平均時間にわたって、前記冷却手段の冷却能力が前記所定の冷却能力の前記所定時間に対する前記平均時間の比率の逆数倍になるように制御することを特徴とする請求項４に記載のプロジェクタ。
【請求項６】
前記制御手段は、前記第１の計数手段の計数値と前記第２の計数値との差が前記所定値に達した後に正常終了した場合に、前記第１の計数手段の計数値と前記第２の計数値とをゼロクリアし、次に前記第１の計数手段の計数値と前記第２の計数値との差が前記所定値に達するまでは、前記冷却手段の冷却能力が前記所定の冷却能力になるように、冷却時間が前記所定時間になるようにそれぞれ制御することを特徴とする請求項４に記載のプロジェクタ。
【請求項７】
ランプと、該ランプからの出射光を画像データに応じた画像を表わす変調光に変換する空間光変調手段と、前記ランプを所定の冷却能力で冷却する冷却手段と、前記ランプが消灯された後に所定時間にわたって前記ランプを前記所定の冷却能力で冷却するように前記冷却手段を制御する制御手段とを備えたプロジェクタにおいて、
前記ランプが点灯された回数を計数する第１の計数手段と、
前記ランプが消灯された後に前記所定時間にわたって前記ランプが冷却された正常終了の回数を計数する第２の計数手段と
を備え、
前記制御手段は、
前記第１の計数手段の計数値と前記第２の計数値との差が第１の所定値に達している場合に、前記空間光変調手段に所定の画像を表わす画像データを与え、
前記第１の計数手段の計数値と前記第２の計数値との差が前記第１の所定値よりも大である第２の所定値に達している場合に、前記冷却手段の冷却能力が前記所定の冷却能力よりも高くなるように制御すること
を特徴とするプロジェクタ。
【請求項８】
前記所定の画像は、前記ランプが消灯した後に前記ランプを冷却すべきであることを報知する内容であることを特徴とする請求項７に記載のプロジェクタ。
【請求項９】
前記制御手段は、前記第１の計数手段の計数値と前記第２の計数値との差が前記第１の所定値に達した後に正常終了した場合に、前記第１の計数手段の計数値と前記第２の計数値とをゼロクリアし、次に前記第１の計数手段の計数値と前記第２の計数値との差が前記第１の所定値に達するまでは、前記空間光変調手段に前記所定の画像を表わす画像データを与えないようにしてあることを特徴とする請求項７に記載のプロジェクタ。
【請求項１０】
前記第１の計数手段の計数値と前記第２の計数値との差が前記第１の所定値に達している場合に、前記ランプが消灯される都度、前記冷却手段により前記ランプが冷却された時間を計時する計時手段を更に備え、
前記制御手段は、前記第１の計数手段の計数値と前記第２の計数値との差が前記第１の所定値よりも大である第２の所定値に達した後の前記計時手段による計時時間の平均時間にわたって、前記冷却手段の冷却能力が前記所定の冷却能力の前記所定時間に対する前記平均時間の比率の逆数倍になるように制御することを特徴とする請求項７に記載のプロジェクタ。
【請求項１１】
前記制御手段は、前記第１の計数手段の計数値と前記第２の計数値との差が前記第２の所定値に達した後に正常終了した場合に、前記第１の計数手段の計数値と前記第２の計数値とをゼロクリアし、次に前記第１の計数手段の計数値と前記第２の計数値との差が前記第２の所定値に達するまでは、前記冷却手段の冷却能力が前記所定の冷却能力になるように、冷却時間が前記所定時間になるようにそれぞれ制御することを特徴とする請求項７に記載のプロジェクタ。
【発明の詳細な説明】
【技術分野】
【０００１】
本発明は、画像投射用のランプ（以下、投射ランプという）に給電して点灯させることにより放射される光線を空間光変調して画像をスクリーン等の被投射体へ投射して表示するプロジェクタに関し、より詳細には投射ランプへの給電がオフされて消灯された後に投射ランプを自動的に冷却するためのいわゆるオートクーリング機能を有するプロジェクタに関する。
【背景技術】
【０００２】
プレゼンテーション又は映像の映写の分野では、パーソナルコンピュータ又は種々の映像再生装置から入力された画像データに基づいた画像を外部のスクリーン等へ投射して表示するプロジェクタが用いられている。このようなプロジェクタは、空間光変調手段、具体的には液晶パネル又はＤＭＤ（Digital Micromirror Device）等に画像データを与えることにより、内部の光源（投射ランプ）からの光を画像データに基づいて変調した画像を表わす変調光を生成し、生成された変調光を投射レンズ系を通じて外部のスクリーン等へ投射するように構成されている。
【０００３】
ところで、上述のようなプロジェクタでは画像の投射中は投射ランプに給電することによって点灯させて光線を放射させているが、プロジェクタの使用を止めた場合には当然のことながら投射ランプへの給電は停止される。しかし、プロジェクタ用の投射ランプは給電中、即ち点灯中にはかなりの高温になるので、加熱しないように冷却ファン等の冷却手段で冷却されている。しかし、投射ランプへの給電が停止されて消灯された場合に同時に冷却ファン等の冷却手段による冷却も停止されると投射ランプがそれまで以上に高温になる可能性があり、投射ランプの寿命，性能等に悪影響を与え、また場合によっては投射ランプが破裂する虞もあり得る。更に、プロジェクタ内で投射ランプが加熱すると他の構成要素、たとえば空間光変調手段としての液晶パネル，ＤＭＤ等にも悪影響を与える虞がある。
【０００４】
以上のような事情から、従来のプロジェクタでは、メインスイッチがオフ操作されて投射ランプへの給電が停止されて消灯した時点から所定時間にわたって冷却ファン等の冷却手段を稼働させて投射ランプをある程度にまで冷却し、その後にプロジェクタ全体の電源がオフされるように構成されている場合が多い。この場合の投射ランプへの給電が停止された時点から所定時間にわたって冷却ファン等の冷却手段により投射ランプを冷却する処理はオートクーリング処理、クールダウン処理等と一般的に称されている。
【０００５】
ところで、上述のオートクーリング処理はプロジェクタのメインスイッチがオフ操作されたとしてもプロジェクタへの電源そのものは供給されている必要があることは言うまでもない。しかし、一般のユーザは、たとえマニュアルに明記してあったとしても上述したようなオートクーリング処理が必要であることを認識していない場合が多く、プロジェクタのメインスイッチをオフ操作して投射ランプを消灯させると同時に後片付けのために電源コードをコンセントから抜いてしまうことが多い。従ってこのような扱いをプロジェクタが受けた場合には、オートクーリング処理が正常に行なわれないのみならず、プロジェクタがたとえば収納用のケース等に直ちに収納されてしまうと投射ランプの冷却が更に困難になるという問題があった。
【０００６】
このような事情に鑑み、たとえば特許文献１には、投射ランプの点灯回数とオートクーリング処理が正常に終了した回数（正常終了回数）とを不揮発性のメモリに記憶させておく構成、及びオートクーリング処理が正常に終了しなかった回数（異常終了回数）を不揮発性のメモリに記憶させておく構成の発明が開示されている。
【特許文献１】特開２００３−２８０１００号公報
【発明の開示】
【発明が解決しようとする課題】
【０００７】
しかし、上述の特許文献１に開示されている発明では、投射ランプの点灯回数と正常終了回数、又は異常終了回数を不揮発性のメモリに記憶させておく構成であるため、後の修理、点検等の際に不揮発性のメモリの記憶内容を読み出して参考にすることが可能なのみであり、オートクーリング処理の異常終了そのものを積極的に防止することはできないという問題がある。
【０００８】
本発明は斯かる事情に鑑みてなされたものであり、オートクーリング処理の異常終了に起因する種々の問題を予防することが可能なプロジェクタの提供を目的とする。
【課題を解決するための手段】
【０００９】
本発明は端的には、ユーザに対して積極的に正常終了、即ちオートクーリング処理を正常に終了させるように案内することにより、また異常終了が頻繁に反復される場合には冷却ファン等の冷却手段の能力を通常よりも高くすることにより、オートクーリング処理の異常終了に起因する種々の問題の発生を予防することを可能とする。
【００１０】
本発明に係るプロジェクタは、ランプと、該ランプからの出射光を画像データに応じた画像を表わす変調光に変換する空間光変調手段と、前記ランプを冷却する冷却手段と、前記ランプが消灯された後に所定時間にわたって前記ランプを冷却するように前記冷却手段を制御する制御手段とを備えたプロジェクタにおいて、前記ランプが点灯された回数を計数する第１の計数手段と、前記ランプが消灯された後に前記所定時間にわたって前記ランプが冷却された正常終了の回数を計数する第２の計数手段とを備え、前記制御手段は、前記第１の計数手段の計数値と前記第２の計数値との差が所定値に達している場合に、前記空間光変調手段に所定の画像を表わす画像データを与えるようにしてあることを特徴とする。
【００１１】
このような本発明のプロジェクタでは、第１の計数手段の計数値、即ちランプが点灯された回数と第２の計数値、即ちランプが消灯された後に所定時間にわたってランプが冷却された回数との差が所定値に達している場合、具体的にはランプが点灯された回数に比してランプが消灯された際に正常に冷却が行なわれなかった回数が所定値を越えた場合に、空間光変調手段に所定の画像を表わす画像データを与えられ、この画像データに応じた画像が投射されて表示される。
【００１２】
また本発明に係るプロジェクタは上述の発明において、前記所定の画像は、前記ランプが消灯した後に前記ランプを冷却すべきであることを報知する内容であることを特徴とする。
【００１３】
このような本発明のプロジェクタでは上述の発明において、ランプの消灯後に冷却を促す画像が投射されて表示される。
【００１４】
また本発明に係るプロジェクタは前述の発明において、前記制御手段は、前記第１の計数手段の計数値と前記第２の計数値との差が前記所定値に達した後に正常終了した場合に、前記第１の計数手段の計数値と前記第２の計数値とをゼロクリアし、次に前記第１の計数手段の計数値と前記第２の計数値との差が前記所定値に達するまでは、前記空間光変調手段に前記所定の画像を表わす画像データを与えないようにしてあることを特徴とする。
【００１５】
このような本発明のプロジェクタでは前述の発明において、ランプの消灯後に一旦正常に冷却が行なわれた後は、ランプの消灯後に冷却を促す画像がしばらくの間は表示されない。
【００１６】
更に本発明に係るプロジェクタは、ランプと、該ランプからの出射光を画像データに応じた画像を表わす変調光に変換する空間光変調手段と、前記ランプを所定の冷却能力で冷却する冷却手段と、前記ランプが消灯された後に所定時間にわたって前記ランプを前記所定の冷却能力で冷却するように前記冷却手段を制御する制御手段とを備えたプロジェクタにおいて、前記ランプが点灯された回数を計数する第１の計数手段と、前記ランプが消灯された後に前記所定時間にわたって前記ランプが冷却された正常終了の回数を計数する第２の計数手段とを備え、前記制御手段は、前記第１の計数手段の計数値と前記第２の計数値との差が所定値に達している場合に、前記冷却手段の冷却能力が前記所定の冷却能力よりも高くなるように制御することを特徴とする。
【００１７】
このような本発明のプロジェクタでは、第１の計数手段の計数値、即ちランプが点灯された回数と第２の計数値、即ちランプが消灯された後に所定時間にわたってランプが冷却された回数との差が所定値に達している場合、具体的にはランプが点灯された回数に比してランプが消灯された際に正常に冷却が行なわれなかった回数が所定値を越えた場合に、冷却手段の冷却能力が通常よりも高くなるように制御される。
【００１８】
また本発明に係るプロジェクタは上述の発明において、前記第１の計数手段の計数値と前記第２の計数値との差が前記所定値に達している場合に、前記ランプが消灯される都度、前記冷却手段により前記ランプが冷却された時間を計時する計時手段を更に備え、前記制御手段は、前記第１の計数手段の計数値と前記第２の計数値との差が前記所定値に達した後の前記計時手段による計時時間の平均時間にわたって、前記冷却手段の冷却能力が前記所定の冷却能力の前記所定時間に対する前記平均時間の比率の逆数倍になるように制御することを特徴とする。
【００１９】
このような本発明のプロジェクタでは上述の発明において、第１の計数手段の計数値、即ちランプが点灯された回数と第２の計数値、即ちランプが消灯された後に所定時間にわたってランプが冷却された回数との差が所定値に達している場合、具体的にはランプが点灯された回数に比してランプが消灯された際に正常に冷却が行なわれなかった回数が所定値を越えた場合に、冷却手段によりランプが冷却された時間が計時され、この計時結果に従って冷却手段による実際の冷却時間及び冷却能力が制御される。
【００２０】
更に本発明に係るプロジェクタは前述の発明において、前記制御手段は、前記第１の計数手段の計数値と前記第２の計数値との差が前記所定値に達した後に正常終了した場合に、前記第１の計数手段の計数値と前記第２の計数値とをゼロクリアし、次に前記第１の計数手段の計数値と前記第２の計数値との差が前記所定値に達するまでは、前記冷却手段の冷却能力が前記所定の冷却能力になるように、冷却時間が前記所定時間になるようにそれぞれ制御することを特徴とする。
【００２１】
このような本発明のプロジェクタでは前述の発明において、ランプの消灯後に一旦正常に冷却が行なわれた後は、通常の冷却が行なわれる。
【００２２】
また更に本発明に係るプロジェクタは、ランプと、該ランプからの出射光を画像データに応じた画像を表わす変調光に変換する空間光変調手段と、前記ランプを所定の冷却能力で冷却する冷却手段と、前記ランプが消灯された後に所定時間にわたって前記ランプを前記所定の冷却能力で冷却するように前記冷却手段を制御する制御手段とを備えたプロジェクタにおいて、前記ランプが点灯された回数を計数する第１の計数手段と、前記ランプが消灯された後に前記所定時間にわたって前記ランプが冷却された正常終了の回数を計数する第２の計数手段とを備え、前記制御手段は、前記第１の計数手段の計数値と前記第２の計数値との差が第１の所定値に達している場合に、前記空間光変調手段に所定の画像を表わす画像データを与え、前記第１の計数手段の計数値と前記第２の計数値との差が前記第１の所定値よりも大である第２の所定値に達している場合に、前記冷却手段の冷却能力が前記所定の冷却能力よりも高くなるように制御することを特徴とする。
【００２３】
また本発明のプロジェクタは上述の発明において、前記所定の画像は、前記ランプが消灯した後に前記ランプを冷却すべきであることを報知する内容であることを特徴とする。
【００２４】
また本発明のプロジェクタは前述の発明において、前記制御手段は、前記第１の計数手段の計数値と前記第２の計数値との差が前記第１の所定値に達した後に正常終了した場合に、前記第１の計数手段の計数値と前記第２の計数値とをゼロクリアし、次に前記第１の計数手段の計数値と前記第２の計数値との差が前記第１の所定値に達するまでは、前記空間光変調手段に前記所定の画像を表わす画像データを与えないようにしてあることを特徴とする。
【００２５】
更に本発明に係るプロジェクタは前述の発明において、前記第１の計数手段の計数値と前記第２の計数値との差が前記第１の所定値に達している場合に、前記ランプが消灯される都度、前記冷却手段により前記ランプが冷却された時間を計時する計時手段を更に備え、前記制御手段は、前記第１の計数手段の計数値と前記第２の計数値との差が前記第１の所定値よりも大である第２の所定値に達した後の前記計時手段による計時時間の平均時間にわたって、前記冷却手段の冷却能力が記所定の冷却能力の前記所定時間に対する前記平均時間の比率の逆数倍になるように制御することを特徴とする。
【００２６】
更にまた本発明に係るプロジェクタは前述の発明において、前記制御手段は、前記第１の計数手段の計数値と前記第２の計数値との差が前記第２の所定値に達した後に正常終了した場合に、前記第１の計数手段の計数値と前記第２の計数値とをゼロクリアし、次に前記第１の計数手段の計数値と前記第２の計数値との差が前記第２の所定値に達するまでは、前記冷却手段の冷却能力が前記所定の冷却能力になるように、冷却時間が前記所定時間になるようにそれぞれ制御することを特徴とする。
【００２７】
以上のような各発明のプロジェクタでは、前述した各発明を組み合わせたプロジェクタが実現される。
【発明の効果】
【００２８】
以上のような本発明のプロジェクタによれば、ランプが点灯された回数とランプが消灯された後に所定時間にわたってランプが冷却された回数との差が所定値に達している場合、具体的にはランプが点灯された回数に比してランプが消灯された際に正常に冷却が行なわれなかった回数が所定値を越えた場合に、空間光変調手段に所定の画像を表わす画像データを与えられ、この画像データに応じた画像が投射されて表示される。従って、ユーザに対してランプを消灯した後の処理について注意を喚起することができる。
【００２９】
また本発明のプロジェクタによれば上述の発明において、ランプの消灯後にランプの冷却を促すことが可能になる。従って、ランプの消灯後に冷却が行なわれないことによる種々の不都合を予防することが可能になる。
【００３０】
更に本発明のプロジェクタによれば前述の発明において、ランプの消灯後に一旦正常に冷却が行なわれた後は、ランプの消灯後に冷却を促す画像がしばらくの間は表示されない。従って、一旦正常にランプの冷却が行なわれれば煩わしい注意が表示されなくなる。
【００３１】
また本発明のプロジェクタによれば、ランプが点灯された回数とランプが消灯された後に所定時間にわたってランプが冷却された回数との差が所定値に達している場合、具体的にはランプが点灯された回数に比してランプが消灯された際に正常に冷却が行なわれなかった回数が所定値を越えた場合に、冷却手段の冷却能力が通常よりも高くなるように制御される。従って、ユーザが注意を払わずとも、ランプを消灯した後の冷却処理がある程度は自動的に行なわれる。
【００３２】
また本発明のプロジェクタによれば上述の発明において、ランプが点灯された回数とランプが消灯された後に所定時間にわたってランプが冷却された回数との差が所定値に達している場合、具体的にはランプが点灯された回数に比してランプが消灯された際に正常に冷却が行なわれなかった回数が所定値を越えた場合に、冷却手段によりランプが冷却された時間が計時され、この計時結果に従って冷却手段による実際の冷却時間及び冷却能力が制御される。従って、ユーザが注意を払わずとも、ランプを消灯した後の冷却処理が適切に自動的に行なわれる。
【００３３】
更に本発明のプロジェクタによれば前述の発明において、ランプの消灯後に一旦正常に冷却が行なわれた後は、通常の冷却が行なわれる。従って、一旦正常にランプの冷却が行なわれれば、通常の冷却処理が行なわれるようになる。
【００３４】
更に本発明のプロジェクタによれば、上述の各発明を組み合わせたプロジェクタが実現される。従って、ランプが消灯された後の冷却処理が十分に行なわれない場合には、ユーザに注意を喚起する画像が表示され、また通常よりも短時間に高能力の冷却処理が行なわれるので、ユーザが注意を払わずとも、ランプを消灯した後の冷却処理がある程度は自動的に行なわれる。
【発明を実施するための最良の形態】
【００３５】
以下、本発明をその実施の形態を示す図面を参照して具体的に説明する。図１は本発明に係るプロジェクタの一実施の形態の内部構成例を示すブロック図である。なお、図１に示されている本発明のプロジェクタは外部のスクリーン等へ画像を投射するいわゆるフロント投射方式であるが、スクリーンの背面から投射するリア投射方式にも本発明は適用可能である。
【００３６】
本実施の形態のプロジェクタ１は、画像投射用のランプ（以下、投射ランプという）のオートクーリング機能を有している。オートクーリング機能とは具体的には、プロジェクタの使用が終了して投射ランプが消灯された場合に、その後の所定時間にわたって投射ランプを冷却する機能である。
【００３７】
プロジェクタ１は、外部の商用電源のコンセントに接続される電源コード３を通じて給電される電源回路４を備えている。この電源回路４は商用電源の電圧及び周波数をプロジェクタ１の内部回路用の電圧及び周波数に変換し、システムコントロール部１０、冷却ファン６、投射ランプ７、投射デバイス部８等へ給電する。システムコントロール部１０はＲＯＭ１０ａ，ＲＡＭ１０ｂ等を内蔵したＭＰＵであって制御手段として機能する。ＲＯＭ１０ａには後述する処理を実行するための制御プログラム及び定数等が予め記憶されており、ＲＡＭ１０ｂはシステムコントロール部１０による制御プログラムの実行中に発生する種々のデータを一時的に記憶するために使用される。
【００３８】
メインスイッチ５はユーザがこのプロジェクタ１を稼働状態（オン操作による）にさせ、また逆に稼働状態である場合には非稼働状態（オフ操作）にするために使用される。具体的には、電源回路４が電源コード３を介して商用電源と接続している場合には、電源回路４は常に稼働状態にあり、メインスイッチ５がオン操作されると電源回路４からプロジェクタ１全体への給電が開始される。
【００３９】
従って、電源コード３が商用電源のコンセントに接続されている状態でメインスイッチ５がオン操作されると、システムコントロール部１０がＲＯＭ１０ａに予め記憶されている制御プログラムに従ってまず起動し、ランプ駆動回路７Ｄに制御信号を与えて投射ランプ７を点灯させると共にファン駆動回路６Ｄに制御信号を与えて冷却ファン６を所定の定格回転数で回転させる。なお、冷却ファン６の回転数はシステムコントロール部１０からファン駆動回路６Ｄへ与えられる制御信号により任意の回転数に制御可能である。
【００４０】
また、電源回路４からの給電が開始されると、投射デバイス８が画像表示可能状態になり、更に他の種々の構成要素、たとえばタイマ９、不揮発性メモリ１１、操作部１２等へも給電される。逆に、プロジェクタ１が稼働状態である場合にメインスイッチ５がオフ操作された場合には、システムコントロール部１０がそれを検知してまずランプ駆動回路７Ｄへ制御信号を与えて投射ランプ７を消灯させる。但しこの状態では冷却ファン６は回転しており、その後に所定時間が経過すると、システムコントロール部１０はファン駆動回路６Ｄへ制御信号を与えて冷却ファン６を停止させると共に自身で自身の制御処理を終了させ、最後に電源回路４へ指示を与えて給電を停止させる。これにより、電源コード３をコンセントから抜くことが可能な状態になる。
【００４１】
以上のように、電源回路４は電源ケーブル３を介して商用電源と接続されている場合にはプロジェクタ１へ給電可能な状態になっているが、実際に給電するか否かはメインスイッチ５のオン操作により決定される。但し言うまでもないが、電源コード３が商用電源のコンセントから抜かれた場合は、電源回路４そのものが給電することが不可能な状態になるので、プロジェクタ１への給電は遮断される。
【００４２】
タイマ９は必要に応じてシステムコントロール部１０が計時を開始させ、必要に応じてその計時値を読み込むことができる。但し、タイマ９の計時値は常時不揮発性メモリ１１へ送られており、電源が遮断された場合（給電中に電源コード３がコンセントから抜かれた場合及びシステムコントロール部１０の制御により電源回路４が給電を停止した場合）に不揮発性メモリ１１はその時点のタイマ９の計時値を記憶する。なお、不揮発性メモリ１１はタイマ９の計時値以外にも後述するような種々の情報を記憶する。
【００４３】
投射デバイス部８は画像信号を光変調する空間光変調素子を備えており、図示しない記録媒体等から与えられる画像データをシステムコントロール部１０の制御により画像処理回路１３が処理した結果の画像を表わす信号に応じた状態になる。このような投射デバイス８の空間光変調素子へ投射ランプ７からの光が投射されると空間光変調素子によって空間光変調され、画像に対応した光が投射レンズ２を通じて外部へ投射され、スクリーンＳ上に画像が表示される。なお、光変調素子としては液晶パネル、ＤＭＤ（Digital Micromirror Device）等が利用可能である。
【００４４】
操作部１２には種々のキー、ボタン等が配置されており、ユーザによるプロジェクタ１の電源のオン／オフ以外の操作の指示を受け付ける手段であり、たとえば投射画像の大きさの調整、色調調整、ピント調整、キーストン調整等が行なえる。この操作部１２が受け付けた指示はシステムコントロール部１０に与えられる。また警告灯１４は投射ランプ７が消灯された後のオートクーリング処理期間中にシステムコントロール部１０の制御によって点灯する。これによって、ユーザはオートクーリング処理中であることを認識することができる。なお、警告灯は本実施の形態では赤色灯であり、具体的には警告灯駆動回路１４Ｄがシステムコントロール部１０から与えられる制御信号に従って点灯させ、また消灯させる。
【００４５】
次に、システムコントロール部１０により実行される投射ランプ７のクーリング処理について図２以下のフローチャートを参照して説明する。なお、以下の各フローチャートに示す処理はシステムコントロール部１０のＲＯＭ１０ａに予め格納されている制御プログラムに従ってシステムコントロール部１０が実行する。
【００４６】
なお、以下の各フローチャートに示す制御においては、後述する点灯回数カウンタ「Ｃ１」と正常終了回数カウンタ「Ｃ２」と値の「差」に基づいて制御を行なっているが、両者の比率に基づいて処理を行なってもよい。
【００４７】
図２はプロジェクタ１が起動する、換言すれば非稼働状態から稼働状態になる場合の制御手順を示すフローチャートである。但しこの場合、電源コード３は商用電源のコンセントに予め接続されているものとする。また、説明の便宜上、後述する点灯回数カウンタ「Ｃ１」、正常終了回数カウンタ「Ｃ２」の値は共に「０」であり、またフラグ「Ｆ１」、「Ｆ２」等は全て「０」にセットされているものとする。換言すれば、プロジェクタ１がユーザの手許に届けられて最初に使用される（稼働状態になる）状態を仮定して説明する。
【００４８】
まず、メインスイッチ５がオンされると（ステップＳ１１）、電源回路４からプロジェクタ１全体への給電が開始される（ステップＳ１２）。これにより、システムコントロール部１０にも給電されるので、ＲＯＭ１０ａに予め記憶されている制御プログラムに従ってシステムコントロール部１０が起動する。システムコントロール部１０による制御は実際にはこの時点から開始される。
【００４９】
システムコントロール部１０が起動すると、まずランプ駆動回路７Ｄへ制御信号を与えて投射ランプ７を点灯させ（ステップＳ１３）、ファン駆動回路６Ｄへ定格回転を指示する制御信号を与えて冷却ファン６を定格回転数で回転させる（ステップＳ１４）。次にシステムコントロール部１０は不揮発性メモリ１１に記憶されているフラグ「Ｆ１」、「Ｆ２」の値をチェックする（ステップＳ１５）。但し、プロジェクタ１が最初に稼働状態になった場合にはフラグ「Ｆ１」、「Ｆ２」の値は共に「０」であるので（ステップＳ１５でＮＯ）、次にシステムコントロール部１０は不揮発性メモリ１１に記憶されている上述のフラグ「Ｆ１」ともう一つのフラグ「Ｆ２」とをそれぞれのその時点の値には拘わらず共に一旦「０」にセットする（ステップＳ１８）。
【００５０】
次にシステムコントロール部１０は「Ｃ１−Ｃ２」の値が所定値（第１の所定値）としての「５」よりも大であるか否かを判断する（ステップＳ１９）。ここで、カウンタ「Ｃ１」及び「Ｃ２」の値はそれぞれ、投射ランプ７が点灯された回数のカウンタ（点灯回数カウンタ）及びクーリング処理が正常に終了した回数のカウンタ（正常終了回数カウンタ）であり、いずれも不揮発性メモリ１１に記憶されており、システムコントロール部１０により読み出すことが可能である。なお、両カウンタ値の差「Ｃ１−Ｃ２」ではなく、両カウンタ値の比率「Ｃ１／Ｃ２」又は「Ｃ２／Ｃ１」の値に基づいて同様の処理を行なってもよいことはいうまでもない。
【００５１】
プロジェクタ１が最初に稼働状態になった場合にはこれらの回数は共に「０」であるので「Ｃ１−Ｃ２＝０」になる（ステップＳ１９でＮＯ）。従って、システムコントロール部１０はステップＳ２５へ処理を進め、投射ランプ７が点灯された回数を示す点灯回数カウンタ「Ｃ１」を「１」インクリメントする（ステップＳ２５）。なお、点灯回数カウンタ「Ｃ１」はこの場合は「１」になる。
【００５２】
この後、プロジェクタ１は、投射デバイス８から画像を表わす変調光を投射レンズ２を介してスクリーンＳへ投射するが、このような動作は従来公知のプロジェクタと同様である。
【００５３】
図３はプロジェクタ１による画像の投射をユーザが終了させる際の、換言すれば稼働状態であるプロジェクタ１が非稼働状態になる場合の処理手順を示すフローチャートである。
【００５４】
上述したように、プロジェクタ１がメインスイッチ５のオン操作により稼働状態になって画像の投射を行なっている場合にユーザがメインスイッチ５をオフ操作すると（ステップＳ３１）、システムコントロール部１０はメインスイッチ５がオフ操作されたことを検知してランプ駆動回路７Ｄへ制御信号を与えて投射ランプ７を消灯させ（ステップＳ３２）、フラグ「Ｆ１」及び「Ｆ２」の値をチェックする（ステップＳ３３、Ｓ３５）。フラグ「Ｆ１」の値が「１」である場合、システムコントロール部１０は後述する「警告終了処理」を実行する（ステップＳ３４）。また、フラグ「Ｆ１」が「０」でＦ２が「１」である場合、システムコントロール部１０は後述する「急速終了処理」を実行する（ステップＳ３６）。なお、フラグ「Ｆ１」及び「Ｆ２」が共に「０」である場合、システムコントロール部１０は後述する「通常終了処理」を実行する（ステップＳ３７）。
【００５５】
プロジェクタ１が最初に稼働状態になった場合には両フラグ「Ｆ１」、「Ｆ２」は共に「０」であるので、ステップＳ３７による「通常終了処理」が実行される。その詳細は図４のフローチャートに示されている。
【００５６】
フラグ「Ｆ１」、「Ｆ２」が共に「０」である場合にメインスイッチ５がオフ操作されると、システムコントロール部１０は上述したように投射ランプ７を消灯させ（但し、冷却ファン６は定格回転数での回転をこの後も継続する）、警告灯駆動回路１４Ｄへ制御信号を与えて警告灯１４を点灯させ (ステップＳ４１）、タイマ９に計時を開始させる（ステップＳ４２）。そして、システムコントロール部１０は、予め設定されている通常クーリング時間Ｔ０（所定時間としてたとえば９０秒）が経過したか否か（ステップＳ４３）、及び電源回路４が商用電源から遮断されたか否かを判断している（ステップＳ４４）。ここで、電源回路４が商用電源から遮断されるということは具体的には、電源コード３が商用電源のコンセントから抜かれることである。即ち、プロジェクタ１による画像の投射をユーザが終了させるためにメインスイッチ５をオフ操作した場合、直ちに電源コード３をコンセントから抜いてしまうユーザが多い。この場合には、冷却ファン６も停止するので、クーリング処理が正常には行なわれないことになる。
【００５７】
なお、電源コード３が商用電源のコンセントから抜かれた場合にはシステムコントロール部１０への給電も停止するので、ステップＳ４４での電源が遮断されたか否かの判断は実際にはシステムコントロール部１０により行なわれることはないが、説明の便宜上のため、システムコントロール部１０が仮想的にそのような判断を行なうものとして説明する。
【００５８】
上述のような電源遮断（電源コード３がコンセントから抜かれること）が行なわれずに通常クーリング時間Ｔ０が経過すると（ステップＳ４４でＮＯ、Ｓ４３でＹＥＳ）、システムコントロール部１０は、警告灯駆動回路１４Ｄに制御信号を与えて警告灯１４を消灯させ (ステップＳ４５）、正常終了回数のカウンタ「Ｃ２」を「１」インクリメントし（ステップＳ４６）、更に電源回路４に指示を与えてプロジェクタ１内への給電を停止、即ち主電源をオフする（ステップＳ４７）。この場合、システムコントロール部１０自身への電源供給も停止されるので、処理手順は図３のフローチャートに示すメインルーチンへリターンして終了される。なお、正常終了回数のカウンタ「Ｃ２」の値は、システムコントロール部１０への給電が停止される前に不揮発性メモリ１１に記憶される。
【００５９】
一方、通常クーリング時間Ｔ０が経過する前に上述のような電源プラグ３がコンセントから抜かれることによる電源の遮断が行なわれた場合（ステップＳ４３でＮＯ、Ｓ４４でＹＥＳ）、システムコントロール部１０への給電も停止されるので、処理手順は図３のフローチャートに示すメインルーチンへリターンし、メインルーチンも終了する。なおこの場合には、電源の遮断と同時に冷却ファン６が停止し、警告灯１４も消灯する。
【００６０】
以上のような図４のフローチャートに示す通常終了処理が行なわれると、不揮発性メモリ１１には正常終了した場合、即ち通常クーリング時間Ｔ０経過時点までに電源コード３がコンセントから抜かれなかった場合と、異常終了した場合、即ち通常クーリング時間Ｔ０経過時点までに電源コード３がコンセントから抜かれた場合とでは異なる値が記憶される。具体的には、正常終了回数のカウンタ「Ｃ２」の値は、正常終了した場合には「１」インクリメントされた値が、異常終了した場合にはインクリメントされない、即ちそれまでと同じ値がそれぞれ不揮発性メモリ１１に記憶される。なお、両フラグ「Ｆ１」、「Ｆ２」の値は通常終了処理が正常終了したか異常終了したかには拘わらず共に「０」が不揮発性メモリ１１に記憶される。
【００６１】
以上のように通常終了処理が行なわれた後に電源コード３がコンセントに接続されている状態で再度メインスイッチ５がオン操作された場合には、フラグ「Ｆ１」、「Ｆ２」が共に「０」であるので、図２に示すフローチャートのステップＳ１５からＳ１８へ処理がジャンプし、基本的には前述同様にして通常終了処理が行なわれる。しかし、通常終了処理において異常終了した場合、即ち正常にクーリング処理が行なわれなかった場合には正常終了回数のカウンタ「Ｃ２」はインクリメントされないので、その回数が６回に達すると点灯回数カウンタ「Ｃ１」の値に比して正常終了回数カウンタ「Ｃ２」の値が「６」少なくなる。換言すれば、メインスイッチ５がオン操作されて投射ランプ７が点灯された回数に比してメインスイッチ５がオフ操作された後に異常終了した（クーリング処理が正常に行なわれなかった）回数が６回少なくなる。
【００６２】
上述のような場合には、メインスイッチ５がオフされた後には図５のフローチャートに示す警告終了処理が行なわれる。以下、具体的に説明する。
【００６３】
上述のような場合にメインスイッチ５がオン操作されると、点灯回数カウンタ「Ｃ１」の値よりも正常終了回数カウンタ「Ｃ２」の値が「６」少なくなっているので、図２に示すフローチャートにおいてステップＳ１５から同Ｓ１８へジャンプして両フラグ「Ｆ１」、「Ｆ２」が共に「０」にセットされた後のステップＳ１９での判断結果が「ＹＥＳ」、同Ｓ２０での判断結果が「ＮＯ」になるので、システムコントロール部１０はフラグ「Ｆ１」を「１」にセットし（ステップＳ２１）、終了時の注意をＯＳＤ表示する（ステップＳ２４）。
【００６４】
このステップＳ２４でのＯＳＤ表示は、たとえばＲＯＭ１０ａに予め記憶されているＯＳＤ用のデータをシステムコントロール部１０が読み出して画像処理回路１３に与えることにより、その時点でスクリーンＳに画像が既に投射されているか否かには拘わらず、終了時の注意をスクリーンＳ上にＯＳＤ表示させる処理である。この場合にスクリーンＳにＯＳＤ表示される注意文としてはたとえば「メインスイッチをオフした後、警告灯（赤ランプ）が消灯するまではコンセントを抜かないで下さい。」等のような、クーリング処理が終了するまでは電源が遮断されないように、具体的には電源コード３をコンセントから抜かないようにユーザに注意を喚起するための文章である。なお、この注意文は所定時間のみ表示されるようにしてもよいし、ユーザが操作部１２の操作により消去する操作を行なうまで表示するようにしてもよい。
【００６５】
この後、システムコントロール部１０は点灯回数カウンタ「Ｃ１」を「１」インクリメントし（ステップＳ２５）、メインスイッチ５がオフされるまでは画像の投射を行なうことが可能な状態になる。そして図３のフローチャートに示すように、メインスイッチ５がオフ操作されると（ステップＳ３１）、システムコントロール部１０はメインスイッチ５がオフ操作されたことを検知してランプ駆動回路７Ｄへ制御信号を与えて投射ランプ７を消灯させ（ステップＳ３２）、次にフラグ「Ｆ１」の値を判断する（ステップＳ３３）。この場合、前述したようにステップＳ２１においてフラグ「Ｆ１」は「１」にセットされているので（ステップＳ３３でＹＥＳ）、ステップＳ３４による「警告終了処理」が実行される。その詳細は図５のフローチャートに示されている。
【００６６】
フラグ「Ｆ１」が「１」である場合にメインスイッチ５がオフ操作されると、システムコントロール部１０は上述したように投射ランプ７を消灯させ（但し、冷却ファン６は定格回転数での回転をこの後も継続する）、警告灯駆動回路１４Ｄへ制御信号を与えて警告灯１４を点灯させ (ステップＳ５１）、タイマ９に計時を開始させる（ステップＳ５２）。そして、システムコントロール部１０は、予め設定されている通常クーリング時間Ｔ０が経過したか否か（ステップＳ５３）、及び前述した図４のフローチャートに示した正常終了の場合と同様に、電源回路４が商用電源から遮断されたか否かを判断している（ステップＳ５４）。
【００６７】
電源遮断が行なわれずに通常クーリング時間Ｔ０が経過すると（ステップＳ５４でＮＯ、Ｓ５３でＹＥＳ）、システムコントロール部１０は警告灯駆動回路１４Ｄへ制御信号を与えて警告灯１４を消灯させ（ステップＳ５５）、点灯回数のカウンタ「Ｃ１」及び正常終了回数のカウンタ「Ｃ２」を共に「０」クリアし（ステップＳ５６）、フラグ「Ｆ１」を「０」にセットし（ステップＳ５７）、更に電源回路４に指示を与えてプロジェクタ１内への給電を停止、即ち主電源をオフする（ステップＳ５８）。この場合、システムコントロール部１０自身への電源供給も停止されるので、処理手順は図３のフローチャートに示すメインルーチンへリターンして終了される。なお、ゼロクリアされた両カウンタ「Ｃ１」、「Ｃ２」の値（共に「０」）及び「０」にセットされたフラグ「Ｆ１」の値はいずれも、システムコントロール部１０への給電が停止される前に不揮発性メモリ１１に記憶される。なおこの場合、フラグ「Ｆ２」はいずれにしても「０」である。
【００６８】
一方、通常クーリング時間Ｔ０が経過する前に上述のような電源プラグ３がコンセントから抜かれることによる電源の遮断が行なわれた場合（ステップＳ５３でＮＯ、Ｓ５４でＹＥＳ）、システムコントロール部１０への給電も停止されるので、処理手順は図３のフローチャートに示すメインルーチンへリターンし、メインルーチンも終了する。この場合、電源の遮断と同時に冷却ファン６が停止し、警告灯１４も消灯することはいうまでもない。
【００６９】
以上のような図５のフローチャートに示す警告終了処理が行なわれると、不揮発性メモリ１１には正常終了した場合、即ち通常クーリング時間Ｔ０経過時点までに電源コード３がコンセントから抜かれなかった場合と、異常終了した場合、即ち通常クーリング時間Ｔ０経過時点までに電源コード３がコンセントから抜かれた場合とでは異なる値が記憶される。具体的には、正常終了回数のカウンタ「Ｃ２」の値は、正常終了した場合には「０」クリアされた値（０）が、異常終了した場合にはそれまでの値がそれぞれ不揮発性メモリ１１に記憶される。また、点灯回数のカウンタ「Ｃ１」の値は、正常終了した場合には「０」クリアされた値（０）が、異常終了した場合にはステップＳ２５でインクリメントされた値がそれぞれ不揮発性メモリ１１に記憶される。更に、フラグ「Ｆ１」の値は警告終了処理が正常終了した場合には「０」が、異常終了した場合にはそれまでと同様に「１」がそれぞれ不揮発性メモリ１１に記憶される。なお、フラグ「Ｆ２」の値はいずれにしても「０」のままである。
【００７０】
以上のように警告終了処理において正常終了した後に電源コード３がコンセントに接続されている状態で再度メインスイッチ５がオン操作された場合には、フラグ「Ｆ１」が「０」であるので、図２に示すフローチャートのステップＳ１５からＳ１８へ処理がジャンプし、基本的には前述同様にして通常終了処理が行なわれる。なおこの場合には点灯回数のカウンタ「Ｃ１」 及び正常終了回数のカウンタ「Ｃ２」は共に「０」になっている。
【００７１】
一方、警告終了処理において異常終了した場合、即ち正常にクーリング処理が行なわれなかった場合には、その後に再度メインスイッチ５がオン操作された場合には、フラグ「Ｆ１」が「１」であり（ステップＳ１５でＹＥＳ）、しかも両カウンタ「Ｃ１」、「Ｃ２」は共にそれまでの値を保持しているので「Ｃ１−Ｃ２＞５」になり（ステップＳ１９でＹＥＳ）、しかも「Ｃ１−Ｃ２＞１０」になるまでは（ステップＳ２０でＮＯ）、上述同様の警告終了処理が行なわれる。但しこの場合、フラグ「Ｆ１」が「１」であるので、システムコントロール部１０は前回の警告終了処理において異常終了した時点のタイマ９の計時値Ｔ１を不揮発性メモリ１１から読み込み（ステップＳ１６）、積算値Ｔ２に積算する（ステップＳ１７）。なおこの積算値Ｔ２は不揮発性メモリ１１に記憶されている。
【００７２】
このようにして警告終了処理において異常終了する状態が反復されて点灯回数カウンタ「Ｃ１」の値よりも正常終了回数カウンタ「Ｃ２」の値が「１１」少なくなると、換言すればメインスイッチ５がオン操作されて投射ランプ７が点灯された回数に比してメインスイッチ５がオフ操作された後に正常終了しなかった（クーリング処理が正常に行なわれなかった）回数が１１回少なくなった場合は、メインスイッチ５がオフされた後には図６のフローチャートに示す急速終了処理が行なわれる。以下、具体的に説明する。
【００７３】
上述のように、点灯回数カウンタ「Ｃ１」の値よりも正常終了回数カウンタ「Ｃ２」の値が「１１」少なくなると、図２に示すフローチャートにおいてステップＳ１５から同Ｓ１６へ処理を進めて上述のようなタイマ９の計時値Ｔ１を積算値Ｔ２に積算する処理を行なうと共に、ステップＳ１８においてフラグ「Ｆ１」、「Ｆ２」が「０」にセットされた後のステップＳ１９、Ｓ２０での判断結果が共に「ＹＥＳ」になるので、システムコントロール部１０は急速クーリング時間Ｔ３を求める (ステップＳ２２）。具体的には、急速クーリング時間Ｔ３の値はタイマ９の計時値Ｔ１の積算値Ｔ２を「Ｃ１−Ｃ２」の値で除した値であるので、警告終了処理が行なわれた際に正常終了しなかった場合のメインスイッチ５がオフ操作されてから電源コード３がコンセントから抜かれた時点までの平均時間になる。次にシステムコントロール部１０はフラグ「Ｆ２」を「１」にセットし（ステップＳ２３）、終了時の注意をＯＳＤ表示する（ステップＳ２４）。このステップＳ２４でのＯＳＤ表示は、前述の「Ｆ１＝１」であった場合と同様である。但し、「Ｆ２＝１」である場合には「Ｆ１＝１」である場合に比してより強い警告内容となるようなＯＳＤ表示を行なってもよい。
【００７４】
この後、システムコントロール部１０は点灯回数カウンタ「Ｃ１」を「１」インクリメントし（ステップＳ２５）、メインスイッチ５がオフされるまでは画像の投射を行なうことが可能な状態になる。そして図３のフローチャートに示すように、メインスイッチ５がオフ操作されると（ステップＳ３１）、システムコントロール部１０はメインスイッチ５がオフ操作されたことを検知してランプ駆動回路７Ｄへ制御信号を与えて投射ランプ７を消灯させ（ステップＳ３２）、次にフラグ「Ｆ１」の値を判断する（ステップＳ３３）。この場合、前述したようにステップＳ１８においてフラグ「Ｆ１」は「０」にセットされたままであるので（ステップＳ３３でＮＯ）、システムコントロール部１０は次にフラグ「Ｆ２」の値を判断する（ステップＳ３５）。この場合、前述したようにステップＳ２３においてフラグ「Ｆ２」は「１」にセットされているので（ステップＳ３５でＹＥＳ）、ステップＳ３６による「急速終了処理」が実行される。その詳細は図６のフローチャートに示されている。
【００７５】
フラグ「Ｆ２」が「１」である場合にメインスイッチ５がオフ操作されると、システムコントロール部１０は上述したように投射ランプ７を消灯させ、警告灯駆動回路１４Ｄへ制御信号を与えて警告灯１４を点灯させ (ステップＳ６１）、ファン駆動回路６Ｄへ指示を与えて冷却ファン６の回転数を定格回転数の「Ｔ０／Ｔ３」倍にする（ステップＳ６２）。具体的には、「Ｔ３」の値は「Ｔ２」の値を「Ｃ１−Ｃ２」の値で除した値であるので、正常終了しなかった場合にメインスイッチ５がオフ操作されてから電源コード３がコンセントから抜かれた時点までの平均時間になり、Ｔ０よりは短いので冷却ファン６は定格回転数よりは高回転数になる。
【００７６】
次にシステムコントロール部１０は、タイマ９に計時を開始させ（ステップＳ６３）、先に求めた急速クーリング時間Ｔ３が経過したか否か（ステップＳ６４）、及び電源回路４が商用電源から遮断されたか否かを判断している（ステップＳ６５）。
【００７７】
従って、この急速終了処理では過去のクーリング処理が正常に終了されなかった場合のクーリング処理時間の平均時間の間、冷却ファン６の回転数を通常クーリング時間Ｔ０と急速クーリング時間Ｔ３との比率に応じて増大させることにより、冷却効果を高くすることになる。
【００７８】
電源遮断が行なわれずに急速クーリング時間Ｔ３が経過すると（ステップＳ６５でＮＯ、Ｓ６４でＹＥＳ）、システムコントロール部１０は警告灯駆動回路１４Ｄへ制御信号を与えて警告灯１４を消灯させ（ステップＳ６６）、点灯回数のカウンタ「Ｃ１」及び正常終了回数のカウンタ「Ｃ２」を共に「０」クリアし（ステップＳ６７）、フラグ「Ｆ２」を「０」にセットし（ステップＳ６８）、更に電源回路４に指示を与えてプロジェクタ１内への給電を停止、即ち主電源をオフする（ステップＳ６９）。この場合、システムコントロール部１０自身への電源供給も停止されるので、処理手順は図３のフローチャートに示すメインルーチンへリターンして終了される。なお、ゼロクリアされた両カウンタ「Ｃ１」、「Ｃ２」の値（共に「０」）及び「０」にセットされたフラグ「Ｆ２」の値はいずれも、システムコントロール部１０への給電が停止される前に不揮発性メモリ１１に記憶される。
【００７９】
一方、急速クーリング時間Ｔ３が経過する前に上述のような電源プラグ３がコンセントから抜かれることによる電源の遮断が行なわれた場合（ステップＳ６４でＮＯ、Ｓ６５でＹＥＳ）、システムコントロール部１０への給電も停止されるので、処理手順は図３のフローチャートに示すメインルーチンへリターンし、メインルーチンも終了する。この場合、電源の遮断と同時に冷却ファン６が停止すると共に警告灯１４も消灯することはいうまでもない。またこの場合には、両カウンタ「Ｃ１」、「Ｃ２」は共にゼロクリアされず、またフラグ「Ｆ２」の値も「１」のままであり、これらの値は不揮発性メモリ１１に記憶されている。
【００８０】
以上のような図６のフローチャートに示す急速終了処理が行なわれると、不揮発性メモリ１１には正常終了した場合、即ち急速クーリング時間Ｔ３経過時点までに電源コード３がコンセントから抜かれなかった場合と、異常終了した場合、即ち急速クーリング時間Ｔ３経過時点までに電源コード３がコンセントから抜かれた場合とでは異なる値が記憶される。具体的には、正常終了回数のカウンタ「Ｃ２」の値は、正常終了した場合には「０」クリアされた値（０）が、異常終了した場合にはそれまでの値がそれぞれ不揮発性メモリ１１に記憶される。また、点灯回数のカウンタ「Ｃ１」の値は、正常終了した場合には「０」クリアされた値（０）が、異常終了した場合にはステップＳ２５でインクリメントされた値がそれぞれ不揮発性メモリ１１に記憶される。更に、フラグ「Ｆ２」の値は急速終了処理が正常終了した場合には「０」が、異常終了した場合には「１」がそれぞれ不揮発性メモリ１１に記憶される。なお、フラグ「Ｆ１」の値はいずれにしても「０」のままである。
【００８１】
以上のように急速終了処理において正常終了した後に電源コード３がコンセントに接続されている状態で再度メインスイッチ５がオン操作された場合には、フラグ「Ｆ１」が「０」（「Ｆ２」も「０」）であるので、図２に示すフローチャートのステップＳ１５からＳ１８へ処理がジャンプし、基本的には前述同様にして通常終了処理が行なわれる。なおこの場合には点灯回数のカウンタ「Ｃ１」 及び正常終了回数のカウンタ「Ｃ２」は共に「０」になっている。
【００８２】
一方、急速終了処理において異常終了した場合、即ち正常にクーリング処理が行なわれなかった場合には、その後に再度メインスイッチ５がオン操作された場合には、フラグ「Ｆ２」が「１」であり（ステップＳ１５でＹＥＳ）、しかも両カウンタ「Ｃ１」、「Ｃ２」は共にそれまでの値を保持しているので「Ｃ１−Ｃ２＞１０」になり（ステップＳ１９でＹＥＳ、Ｓ２０でＹＥＳ）、上述同様の急速終了処理が行なわれる。但しこの場合、フラグ「Ｆ２」が「１」であるので、システムコントロール部１０は前回の急速終了処理において異常終了した時点のタイマ９の計時値Ｔ１を不揮発性メモリ１１から読み込み（ステップＳ１６）、積算値Ｔ２に積算する（ステップＳ１７）。従って、急速クーリング時間Ｔ３は直前の急速終了処理において異常終了した際の冷却時間（冷却ファン６が実際に回転していた時間）を含めた過去の平均時間になる。またこれに伴なって、冷却ファン６の回転数も当然変化することになる。なお、冷却ファン６の回転数には上限があることは勿論であるので、システムコントロール部１０はステップＳ６２での計算結果が冷却ファン６の最高回転数以上になった場合には最高回転数で回転させるようにファン駆動回路６Ｄに制御信号を与える。
【００８３】
以上に詳述したように本発明に係るプロジェクタによれば、ユーザに対して投射ランプを消灯した後の処理について注意を喚起することができ、投射ランプの消灯後に冷却が行なわれないことによる種々の不都合を予防することが可能になる。そして、投射ランプの消灯後に一旦正常に冷却が行なわれた後は、投射ランプの消灯後に冷却を促す画像がしばらくの間は表示されなくなるので、一旦正常に投射ランプの冷却が行なわれれば煩わしい注意は表示されなくなる。
【００８４】
また本発明に係るプロジェクタによれば、ユーザが注意を払わずとも、投射ランプを消灯した後の冷却処理がある程度は自動的に行なわれる。そして、投射ランプの消灯後に一旦正常に投射ランプの冷却が行なわれれば、通常の冷却処理が行なわれるようになる。
【００８５】
なお、上述の実施の形態では、投射ランプの点灯回数と正常終了回数との差が少ない間はユーザに対して投射ランプを消灯した後の処理について注意を喚起するようにし、投射ランプの点灯回数と正常終了回数との差が多くなると冷却ファンの回転数を高くするようにしているが、いずれか一方のみを実施する構成としてもよいことは言うまでもない。また上述の実施の形態では、投射ランプの点灯回数と正常終了回数との差に基づいて上述したような処理を行なうようにしているが、両者の比率に応じて上述したような処理を行なうようにしてもよいことは言うまでも無い。
【図面の簡単な説明】
【００８６】
【図１】本発明に係るプロジェクタの一実施の形態の内部構成例を示すブロック図である。
【図２】本発明に係るプロジェクタのシステムコントロール部により実行される投射ランプのクーリング処理の手順を示すフローチャートである。
【図３】本発明に係るプロジェクタのシステムコントロール部により実行される投射ランプのクーリング処理の手順を示すフローチャートである。
【図４】本発明に係るプロジェクタのシステムコントロール部により実行される投射ランプのクーリング処理の手順を示すフローチャートである。
【図５】本発明に係るプロジェクタのシステムコントロール部により実行される投射ランプのクーリング処理の手順を示すフローチャートである。
【図６】本発明に係るプロジェクタのシステムコントロール部により実行される投射ランプのクーリング処理の手順を示すフローチャートである。
【符号の説明】
【００８７】
１  プロジェクタ
３  電源ケーブル
４  電源回路
５  メインスイッチ
６  冷却ファン
７  投射ランプ
８  投射デバイス
９  タイマ
１０  システムコントロール部
１１  不揮発性メモリ
１４  警告灯
【図１】
2006106639.tif 000003
【図２】
2006106639.tif 000004
【図３】
2006106639.tif 000005
【図４】
2006106639.tif 000006
【図５】
2006106639.tif 000007
【図６】
2006106639.tif 000008